(57)【要約】【課題】【解決手段】本願は、隣接するノードのアドレスを識別する装置及び方法を備え、隣接するセルの存在を識別し、前記セルの識別子を含む測定レポートを受信し、前記セルの前記識別子を含む問い合わせをサーバに送信し、前記問い合わせは前記セルの前記隣接するノードのＩＰアドレスが何であるかを問い合わせ、前記隣接するノードの前記ＩＰアドレスを含む問い合わせ応答を受信するステップを備える。別の実施形態において、セルの識別子を含む問い合わせは、他のノードに送信される。【選択図】      図４
2009542112.tif 000002
【特許請求の範囲】
【請求項１】
隣接するノードのアドレスを識別する方法であって、
隣接するセルの存在を識別し、
前記セルの識別子を含む測定レポートを受信し、
前記セルの前記識別子を含む問い合わせをサーバに送信し、前記問い合わせは前記セルの前記隣接するノードの前記ＩＰアドレスが何であるかを問い合わせ、
前記隣接するノードの前記ＩＰアドレスを含む問い合わせ応答を受信する
ステップを含む、方法。
【請求項２】
前記ノードはｅノードＢである、請求項１記載の方法。
【請求項３】
前記セルの前記識別子はセルＩＤである、請求項１記載の方法。
【請求項４】
接続確立メッセージを前記隣接するノードに送信し、
前記ソースノードと前記隣接するノードとの間に関連性を確立する
ステップを更に含む、請求項１記載の方法。
【請求項５】
前記問い合わせと前記応答は、ユニキャスト送信を介して送信される、請求項１記載の方法。
【請求項６】
前記サーバは、
前記隣接するノードのセルＩＤとＩＰアドレスを含む隣接リストと、
前記隣接するノードから情報を収集する責任を負う隣接リストマネージャとを備え、前記情報は前記セルＩＤと前記ＩＰアドレスを含む、請求項１記載の方法。
【請求項７】
隣接するノードのアドレスを識別する方法であって、
隣接するセルの存在を識別し、
前記セルの識別子を含む測定レポートを受信し、
前記セルの前記識別子を含む問い合わせを他のノードに送信し、前記問い合わせは前記セルの前記隣接するノードの前記ＩＰアドレスが何であるかを問い合わせ、
前記隣接するノードの前記ＩＰアドレスを含む問い合わせ応答を受信する
ステップを含む、方法。
【請求項８】
前記ノードはｅノードＢである、請求項７記載の方法。
【請求項９】
前記セルの前記識別子はセルＩＤである、請求項７記載の方法。
【請求項１０】
接続確立メッセージを前記隣接するノードに送信し、
前記ソースノードと前記隣接するノードとの間に関連性を確立する
ステップを更に備える、請求項７記載の方法。
【請求項１１】
前記問い合わせはマルチキャスト送信として送信され、前記問い合わせ応答はユニキャスト送信として送信される、請求項７記載の方法。
【請求項１２】
前記他のノードのうちの少なくとも１つは、
前記隣接するノードのセルＩＤとＩＰアドレスを含む隣接リストと、
前記隣接するノードから情報を収集する責任を負う隣接リストマネージャとを備え、前記情報は前記セルＩＤと前記ＩＰアドレスを含む、請求項７記載の方法。
【請求項１３】
隣接するノードのアドレスを識別する手段であって、
隣接するセルの存在を識別する手段と、
前記セルの識別子を含む測定レポートを受信する手段と、
前記セルの前記識別子を含む問い合わせを、サービスする手段に送信する手段であって、前記問い合わせは前記セルの前記隣接するノードの前記ＩＰアドレスが何であるかを問い合わせる手段と、
前記隣接するノードの前記ＩＰアドレスを含む問い合わせ応答を受信する手段と
を備える、手段。
【請求項１４】
前記ノードはｅノードＢである、請求項１３記載の手段。
【請求項１５】
前記セルの前記識別子はセルＩＤである、請求項１３記載の手段。
【請求項１６】
接続確立メッセージを前記隣接するノードに送信する手段と、
前記ソースノードと前記隣接するノードとの間に関連性を確立する手段と
を更に備える、請求項１３記載の手段。
【請求項１７】
前記問い合わせと前記応答は、ユニキャスト送信を介して送信される、請求項１３記載の手段。
【請求項１８】
前記サービスする手段は、
前記隣接するノードのセルＩＤとＩＰアドレスを含む隣接リストと、
前記隣接するノードから情報を収集する責任を負う、前記隣接リストを管理する手段と備え、前記情報は前記セルＩＤと前記ＩＰアドレスを含む、請求項１３記載の手段。
【請求項１９】
隣接するノードのアドレスを識別する手段であって、
隣接するセルの存在を識別する手段と、
前記セルの識別子を含む測定レポートを受信する手段と、
前記セルの前記識別子を含む問い合わせを他のノードに送信する手段であって、前記問い合わせは前記セルの前記隣接するノードの前記ＩＰアドレスが何であるかを問い合わせる、手段と、
前記隣接するノードの前記ＩＰアドレスを含む問い合わせ応答を受信する手段と
を備える、手段。
【請求項２０】
前記ノードはｅノードＢである、請求項１９記載の手段。
【請求項２１】
前記セルの前記識別子はセルＩＤである、請求項１９記載の手段。
【請求項２２】
接続確立メッセージを前記隣接するノードに送信する手段と、
前記ソースノードと前記隣接するノードとの間に関連性を確立する手段と
を更に備える、請求項１９記載の手段。
【請求項２３】
前記問い合わせはマルチキャスト送信として送信され、前記問い合わせ応答はユニキャスト送信として送信される、請求項１９記載の手段。
【請求項２４】
前記他のノードのうちの少なくとも１つは、
前記隣接するノードのセルＩＤとＩＰアドレスを含む隣接リストと、
前記隣接するノードから情報を収集する責任を負う、前記隣接リストを管理する手段と備え、前記情報は前記セルＩＤと前記ＩＰアドレスを含む、請求項１９記載の手段。
【請求項２５】
隣接するノードのアドレスを識別することができるノードであって、
データキューと、
チャネルエレメントと、
ＲＦユニットと、
制御ユニットと、
前記制御ユニットに動作可能に接続されたメモリであって、前記メモリは前記隣接するノードのアドレスを識別するための命令を備えるメモリと、
を備える、ノード。
【請求項２６】
前記隣接するノードのアドレスを識別するための命令は、
隣接するセルの識別子を含む測定レポートを受信し、
前記セルの前記識別子を含む問い合わせをサーバに送信し、前記問い合わせは前記セルの前記隣接するノードの前記ＩＰアドレスが何であるかを問い合わせ、
前記隣接するノードの前記ＩＰアドレスを含む問い合わせ応答を受信する
ための命令を含む、請求項２５記載のノード。
【請求項２７】
前記隣接するノードのアドレスを識別するための命令は、
隣接するセルの識別子を含む測定レポートを受信し、
前記セルの前記識別子を含む問い合わせを他のノードに送信し、前記問い合わせは前記セルの前記隣接するノードの前記ＩＰアドレスが何であるかを問い合わせ、
前記隣接するノードの前記ＩＰアドレスを含む問い合わせ応答を受信する
ための命令を含む、請求項２５記載のノード。
【請求項２８】
前記ノードはｅノードＢである、請求項２６記載のノード。
【請求項２９】
前記セルの前記識別子はセルＩＤである、請求項２６記載のノード。
【請求項３０】
接続確立メッセージを前記隣接するノードに送信し、
前記ソースノードと前記隣接するノードとの間に関連性を確立する
ための命令を更に備える、請求項２６記載のノード。
【請求項３１】
前記問い合わせと前記応答は、ユニキャスト送信を介して送信される、請求項２６記載のノード。
【請求項３２】
前記サーバは、
前記隣接するｅノードＢのセルＩＤとＩＰアドレスを含む隣接リストと、
隣接するｅノードＢから情報を収集する責任を負う隣接リストマネージャと備え、前記情報はセルＩＤとＩＰアドレスを含む、請求項２６記載のノード。
【請求項３３】
前記ノードはｅノードＢである、請求項２７記載のノード。
【請求項３４】
前記セルの前記識別子はセルＩＤである、請求項２７記載のノード。
【請求項３５】
接続確立メッセージを前記隣接するノードに送信し、
前記ソースノードと前記隣接するノードとの間に関連性を確立する
ための命令を更に備える、請求項２７記載のノード。
【請求項３６】
前記問い合わせはマルチキャスト送信として送信され、前記問い合わせ応答はユニキャスト送信として送信される、請求項２７記載のノード。
【請求項３７】
前記他のノードのうちの少なくとも１つは、
前記隣接するノードのセルＩＤとＩＰアドレスを含む隣接リストと、
前記隣接するノードから情報を収集する責任を負う隣接リストマネージャと備え、前記情報は前記セルＩＤと前記ＩＰアドレスを含む、請求項２７記載のノード。
【請求項３８】
隣接するノードのアドレスをコンピュータに識別させるコードを含む、コンピュータ読み取り可能な媒体を備える、コンピュータプログラムプロダクト。
【請求項３９】
前記隣接するノードのアドレスをコンピュータに識別させるコードは、コンピュータに、
隣接するセルの識別子を含む測定レポートを受信させ、
前記セルの前記識別子を含む問い合わせをサーバに送信させ、前記問い合わせは前記セルの前記隣接するノードの前記ＩＰアドレスが何であるかを問い合わせ、
前記隣接するノードの前記ＩＰアドレスを含む問い合わせ応答を受信させる
コードを更に含む、請求項３８記載のコンピュータプログラムプロダクト。
【請求項４０】
前記隣接するノードのアドレスをコンピュータに識別させるコードは、コンピュータに、
隣接するセルの識別子を含む測定レポートを受信させ、
前記セルの前記識別子を含む問い合わせを他のノードに送信させ、前記問い合わせは前記セルの前記隣接するノードの前記ＩＰアドレスが何であるかを問い合わせ、
前記隣接するノードの前記ＩＰアドレスを含む問い合わせ応答を受信させる
コードを更に含む、請求項３８記載のコンピュータプログラムプロダクト。
【請求項４１】
前記ノードはｅノードＢである、請求項３９記載のコンピュータプログラムプロダクト。
【請求項４２】
前記セルの前記識別子はセルＩＤである、請求項３９記載のコンピュータプログラムプロダクト。
【請求項４３】
コンピュータに、
接続確立メッセージを前記隣接するノードに送信させ、
前記ソースノードと前記隣接するノードとの間に関連性を確立させる
コードを更に含む、請求項３９記載のコンピュータプログラムプロダクト。
【請求項４４】
前記問い合わせと前記応答は、ユニキャスト送信を介して送信される、請求項３９記載のコンピュータプログラムプロダクト。
【請求項４５】
前記サーバは、
前記隣接するｅノードＢのセルＩＤとＩＰアドレスを含む隣接リストと、
隣接するｅノードＢから情報を収集する責任を負う隣接リストマネージャと備え、前記情報はセルＩＤとＩＰアドレスを含む、請求項３９記載のコンピュータプログラムプロダクト。
【請求項４６】
前記ノードはｅノードＢである、請求項４０記載のコンピュータプログラムプロダクト。
【請求項４７】
前記セルの前記識別子はセルＩＤである、請求項４０記載のコンピュータプログラムプロダクト。
【請求項４８】
コンピュータに、
接続確立メッセージを前記隣接するノードに送信させ、
前記ソースノードと前記隣接するノードとの間に関連性を確立させる
コードを更に含む、請求項４０記載のコンピュータプログラムプロダクト。
【請求項４９】
前記問い合わせはマルチキャスト送信として送信され、前記問い合わせ応答はユニキャスト送信として送信される、請求項４０記載のコンピュータプログラムプロダクト。
【請求項５０】
前記他のノードのうちの少なくとも１つは、
前記隣接するノードのセルＩＤとＩＰアドレスを含む隣接リストと、
前記隣接するノードから情報を収集する責任を負う隣接リストマネージャと備え、前記情報は前記セルＩＤと前記ＩＰアドレスを含む、請求項４０記載のコンピュータプログラムプロダクト。
【発明の詳細な説明】
【技術分野】
【０００１】
本願は、一般に通信に関し、特に、Ｅ−ＵＴＲＡＮにおける隣接するセルの発見に関する。
【背景技術】
【０００２】
第３世代パートナーシッププロジェクト（３ＧＰＰ）ロングタームエボリューション（ＬＴＥ）において、ネットワークノードは、互いに論理的な接続をＩＰトランスポート上で有している。分散アーキテクチャにおいて、ノードＢはネットワークに対して「プラグンプレイ（plug-n-play）」といった方法で接続させられると考えてもよく、そこではノードＢが動作パラメータを自身で設定する。ノードＢは、ユーザ機器（ＵＥ）によって供給される情報を使用することが期待される。次に、ノードＢは隣接するセルと関連性を確立し得る。しかしながら、従来技術において、ユーザ機器はそういった隣接するセルのＩＰアドレスが分からず、ユーザ機器はセルＩＤを供給するにすぎない。
【０００３】
ユニバーサル移動通信システム（ＵＭＴＳ）は、第３世代（３Ｇ）携帯電話技術（又は第３世代無線移動通信技術）のうちの１つである。ＵＭＴＳネットワークは、１）コアネットワーク（ＣＮ）、２）ＵＭＴＳ地上無線アクセスネットワーク（ＵＴＲＡＮ）、及び３）ユーザ機器（ＵＥ）から成る。コアネットワークの働きは、ユーザトラヒックのトランジット、スイッチング、及びルーティングを提供する。ＧＰＲＳ（General Packet Radio Service）を備えるＧＳＭ（Global System for Mobile Communications）ネットワークはＵＭＴＳが基盤とする基本的なコアネットワークアーキテクチャである。ＵＴＲＡＮは、無線インタフェースアクセス方法をユーザ機器に提供する。基地局はノードＢと称され、ノードＢの制御機器はラジオネットワークコントローラ（ＲＮＣ）と呼ばれる。無線インタフェースについて、ＵＭＴＳは通常、広帯域符号分割多元接続（又はＷ−ＣＤＭＡ）として知られる、広帯域拡散スペクトラム移動無線インタフェースを用いる。Ｗ−ＣＤＭＡは、直接拡散符号分割多元接続シグナリング方法（又はＣＤＭＡ）を用いてユーザを区別する。
【０００４】
ＵＭＴＳ地上無線アクセスネットワーク（ＵＴＲＡＮ）は、ノードＢ（又は基地局）とノードＢの制御機器（又は無線ネットワークコントローラ（ＲＮＣ））とをまとめて指す用語であり、ＵＭＴＳ無線アクセスネットワークを構成するものを含む。これは、リアルタイムの回線交換トラヒックタイプとＩＰベースのパケット交換トラヒックタイプとの双方を媒介できる３Ｇ通信ネットワークである。ＲＮＣは、１つ又は複数のノードＢに制御機能を提供する。ＵＥ（ユーザ機器）とコアネットワークとの間には、ＵＴＲＡＮによって接続が供給される。
【０００５】
ＵＴＲＡＮは、他の機能的なエンティティに対して、内部的に又は外部的に４つのインタフェース：Ｉｕ、Ｕｕ、Ｉｕｂ及びＩｕｒによって接続される。ＵＴＲＡＮは、ＧＳＭコアネットワークに、Ｉｕと称される外部インタフェースを介して接続される。無線ネットワークコントローラ（ＲＮＣ）は、このインタフェースをサポートする。また、ＲＮＣは、ノードＢと呼ばれる一組の基地局を、Ｉｕｂと名付けられたインタフェースを介して管理する。Ｉｕｒインタフェースは、２つのＲＮＣを互いに接続する。ＲＮＣはＩｕｒインタフェースによって相互接続されているため、ＵＴＲＡＮはコアネットワークからは大部分は自律している。図１は、ＲＮＣ、ノードＢ並びにＩｕインタフェース及びＵｕインタフェースを用いる通信システムを開示する。Ｕｕは外部的でもあり、ノードＢをＵＥに接続する一方で、ＩｕｂはＲＮＣをノードＢに接続する内部的なインタフェースである。
【０００６】
ＲＮＣは多様な役割を果たす。第１に、ＲＮＣは、ノードＢを用いようと試みる新たな携帯機器又はサービスの承認を制御し得る。第２に、ノードＢ、即ち基地局の観点からは、ＲＮＣは制御ＲＮＣである。承認を制御することで、携帯機器に対してネットワークが利用可能な上限まで無線リソース（帯域及び信号対雑音比）が割り当てられることが確実になる。ここがノードＢのＩｕｂインタフェースが終了する所である。ＵＥ、即ち携帯機器の観点からは、ＲＮＣは、携帯機器のリンク層通信を終了させる、サービス中の（serving）ＲＮＣとしての役割を果たす。コアネットワークの観点からは、サービス中のＲＮＣは、ＵＥに対するＩｕを終了させる。サービス中のＲＮＣはまた、コアネットワークをそのＩｕインタフェースで用いようと試みる新たな携帯機器又はサービスの承認を制御する。
【０００７】
セル探索は、ＵＥがセルとの時間及び周波数同期を取り、当該セルのセルＩＤを検出する手続きである。ダウンリンクで送信される２つの信号（「チャネル」）、即ち「ＳＣＨ」（同期チャネル）及び「ＢＣＨ」（ブロードキャストチャネル）は、ユニバーサル地上無線アクセス（又はＵＴＲＡ）セル探索で用いられ得る。ＵＭＴＳシステムにおいて、ＵＴＲＡは時分割多重（ＴＤＤ）及び周波数分割多重（ＦＤＤ）アクセスモードを識別する。ＳＣＨの主要な目的は、タイミング、即ち、少なくともＳＣＨシンボルタイミングと、受信されたダウンリンク信号の周波数を取得することである。ＢＣＨは、現在のＵＴＲＡ  ＢＣＨトランスポートチャネルに類似し得るシステム特有の情報及び／又は一組のセルをブロードキャストする。ＳＣＨシンボルタイミング及び周波数情報の他に、ＵＥは、セルＩＤといったセル特有の情報を取得する。セルＩＤの検出を容易にすべく、セルＩＤはＳＣＨに埋め込まれていてもよい。例えば、セルＩＤはＳＣＨに直接マッピングされていてもよいし、異なるセルＩＤ情報はグループワイズ（group-wised）であってもよい。グループＩＤの場合、セルＩＤグループインデックスはＳＣＨを用いて検出することができ、検出されたセルＩＤグループ内のセルＩＤは参照シンボル又はＢＣＨを用いて検出することができる。代わりのアプローチとして、ＢＣＨの帯域及びＣＰの長さに関する情報は、例えば仮説検証を用いて、ＢＣＨ又はＳＣＨからのブラインド検出（blind detection）によって検出されてもよい。図２は、基本的なセル探索手続きを開示するフローチャートである。
【発明の開示】
【０００８】
本願は、２００６年６月２０日に出願され"Discovery of Neighbor Cells in E-UTRAN"と題され、米国仮出願第６０／８１５，２９０号を割り当てられた米国仮出願の利益を主張し、この出願の全ての開示は本願の開示の一部とみなされる。
【０００９】
上記を鑑みて、本願発明の記載された特徴は一般に、データ通信のための１つ又は複数の改良されたシステム、方法、及び／又は装置に関する。一実施形態において、本願は、隣接するセルの存在を識別し、前記セルの前記識別子を含む測定レポートを受信し、前記セルの前記識別子を含む問い合わせをサーバに送信し、前記問い合わせは前記セルの前記隣接するノードの前記ＩＰアドレスが何であるかを問い合わせ、前記隣接するノードの前記ＩＰアドレスを含む問い合わせ応答を受信し、接続確立メッセージを前記隣接するノードに送信し、前記隣接するノードとの関連性を確立するステップを含む、隣接するノードのアドレスを識別する方法及び装置を備える。
【００１０】
別の実施形態において、本願は、隣接するセルの存在を識別し、前記セルの前記識別子を含む測定レポートを受信し、前記セルの前記識別子を含む問い合わせを他のノードに送信し、前記問い合わせは前記セルの前記隣接するノードの前記ＩＰアドレスが何であるかを問い合わせ、前記隣接するノードの前記ＩＰアドレスを含む問い合わせ応答を受信し、接続確立メッセージを前記隣接するノードに送信し、前記隣接するノードとの関連性を確立するステップを含む、隣接するノードのアドレスを識別する装置及び方法を備える。
【００１１】
本願の方法及び装置の適応性の更なる範囲は、以下の詳細な説明、特許請求の範囲、及び図面から明らかになるであろう。しかしながら、本願発明の精神及び範囲内での種々の変更や変形は当業者には明白となるであろうから、詳細な説明と特定の例は、本願発明の好適な実施形態を示すものではあるが、実例としてのみ与えられるものであることが理解されるべきである。
【発明を実施するための最良の形態】
【００１２】
本明細書に開示される方法及び装置の特徴、目的、及び利点は、以下の詳細な説明を、全体を通して同様の符号は同様に識別する図面と共に理解すれば、より明らかになるであろう。
【００１３】
本明細書において「例示的な」という用語は、「例、事例、又は例証としての役割を果たす」という意味で用いられる。本明細書で「例示的な」と記載される如何なる実施形態も、他の実施形態よりも必ずしも好適な又は有利なものとして解釈されるべきではない。
【００１４】
添付の図面と共に以下に述べる詳細な説明は、本願発明の例示的な実施形態の説明として意図されるものであり、本願発明を実施することができる唯一の実施形態を表すことを意図するものではない。本説明全体を通して用いられる「例示的な」という用語は、「例、事例、又は例証としての役割を果たす」という意味で用いられ、他の実施形態よりも必ずしも好適な又は有利なものとして解釈されるべきではない。詳細な説明には、本願発明の充分な理解を提供する目的のために特定の詳細が含まれる。しかしながら、当業者には、本願発明がこれらの特定の詳細なしに実施され得ることが明白であろう。場合によっては、本願発明の概念を曖昧にすることを回避するために、周知の構成及び装置がブロック図の形で示される。
【００１５】
通信システムは、単独の搬送周波数又は複数の搬送周波数を用い得る。各リンクは、異なる数の搬送周波数を組み込んでもよい。更に、アクセス端末１０は、無線チャネルを介して、又は、例えば光ファイバ若しくは同軸ケーブルといった有線チャネルを介して通信する、如何なるデータ装置であってもよい。アクセス端末１０は、ＰＣカード、コンパクトフラッシュ（登録商標）、外部モデム若しくは内部モデム、又は携帯電話若しくは有線電話を含むが、これらに限定されない、多くのタイプの装置のうちの任意のものであってよい。アクセス端末１０はまた、ユーザ端末（ＵＥ）、遠隔局、移動局又は加入者局としても知られる。また、ＵＥ１０は、移動可能であっても固定されていてもよい。セルラー通信システム１００の一例は、参照符号１０２Ａ乃至１０２Ｇがセルを指し、参照符号２０Ａ乃至２０ＧがノードＢ又はイヴォルヴドノードＢ（evolved Node Bs）（ｅノードＢ）又は基地局を指し、参照符号１０Ａ乃至１０ＧがＵＥを指す、図３に示されている。
【００１６】
図４は、Ｅ−ＵＴＲＡＮ（evolved UTRAN）を用いる３ＧＰＰ  ＬＴＥ／ＳＡＥアーキテクチャを有する通信システム１００のブロック図である。ユーザ機器１０は、１つ又は複数のｅノードＢ２０を介してデータパケットを送信及び受信することで、１つ又は複数のｅノードＢ２０と通信し得る。上述したＵＴＲＡＮとは異なり、無線ネットワークコントローラ６５（基地局コントローラ（ＢＳＣ）６５、又はモデムプールコントローラ（ＭＰＣ）６５とも称される）が無い。その代わりに、あらゆる無線関連の機能がｅノードＢ２０に備わる。別の相違点は、１つ又は複数のイヴォルヴドパケットコア（evolved packet cores）（ＥＰＣ）４９に動作可能に接続されたＩＰネットワークから成るコアネットワーク４４に見出される。図４に示されるように、ＥＰＣ４９は互いに接続されても、単一の又は多数のｅノードＢ２０に接続されてもよい。これらの並列接続は、ｅノードＢ２０より上位での単一障害点（single points of failure）を最小限に抑える。また、ｅノードＢ２０は互いに接続されてもよい。
【００１７】
アクセスネットワーク４０は、データパケットを複数のアクセス端末１０又はユーザ機器１０の間でやりとりする。アクセスネットワーク４０は更に、企業のイントラネット又はインターネットといった、アクセスネットワーク４０の外部の付加的なネットワークに接続されてもよく、各ユーザ機器１０とそのような外部ネットワーク１２２との間でデータパケットをやりとりしてもよい。１つ又は複数のｅノードＢ２０とのアクティブなトラヒックチャネル接続を確立したユーザ機器１０は、アクティブなユーザ機器１０と呼ばれ、トラヒック状態にあると言われる。アクティブなトラヒックチャネル接続を１つ又は複数のｅノードＢ２０と確立する過程にあるユーザ機器１０は、接続セットアップ状態にあると言われる。ユーザ機器１０は、無線チャネルを介して、又は、例えば光ファイバ若しくは同軸ケーブルを用いて有線チャネルを介して通信する任意のデータ装置であってよい。ユーザ機器１０が信号をｅノードＢ２０に送信する通信リンクは、リバースリンクと呼ばれる。ｅノードＢ２０が信号をユーザ機器１０に送信する通信リンクは、フォワードリンクと呼ばれる。
【００１８】
現行のＥ−ＵＴＲＡＮシステムの目標は、Ｅ−ＵＴＲＡＮシステムのセットアップの動作労力を最小限に抑えることである。ＬＴＥを迅速に且つ費用効率的な方法で展開すべく、ＬＴＥ／ＳＡＥシステムは、新たに展開されるノード２０（ｅノードＢ）の自動インストール及びセットアップをプラグアンドプレイ方式でサポートする。プラグアンドプレイ（ＰｎＰ）は、周辺機器といった新たな装置の付加を、システムを再構成したりデバイスドライバを手動でインストールしたりすることなく可能にするコンピュータ機能である。「プラグアンドプレイ」ｅノードＢ２０の概念には、２つの要素：１）他のノードの発見及び発見されたノード２０へのセッション確立、並びに２）ｅノードＢ２０による動作パラメータの自己設定（Self-configuration）があると思われる。自己設定には、ｅノードＢ２０によって保持される隣接リスト４５の設定が含まれる。隣接リスト４５は、Ｅ−ＵＴＲＡＮ上のＵＥ１０によって実行される無線測定を通じて時間をかけて構築されてもよい。プラグンプレイｅノードＢ２０の概念が用いられるＬＴＥネットワークの隣接リスト４５の自己設定は、Ｅ−ＵＴＲＡＮ及び潜在的に他のサポートされる無線アクセス技術（ＲＡＴｓ）のＲＦを測定する、隣接するセル１０２に関連する情報をシステムからバックボーンを介して又は隣接するｅノードＢ２０を介して問い合わせる等、といった多数の方法に基づき得る。
【００１９】
ユーザ機器１０をソース（又はサービス中の）ｅノードＢ２０から対象ｅノードＢ２０へとハンドオーバ制御するために、ソースｅノードＢ２０は、対象ｅノードＢ２０との接続（connection）／関連性（association）を用いる。測定レポートを用いてハンドオーバを支援してもよい。（ハンドオフ（又はハンドオーバ）という用語は、コアネットワーク４４に接続された、あるノード２０からの進行中の呼又はデータセッションを、別のノード２０に転送することを含む。ノード２０は、異なるセル１０２、同一のセル１０２の異なるセクタ、あるいは時には同一セル１０２内にあってもよい。ハンドオーバは、ユーザ機器１０が別のノード２０から、より強い信号（例えば、信号対雑音比といった、より良好なメトリックパフォーマンス）を受信するときに起こり得る。ハンドオーバの別の理由は、現在のノード２０が一杯であるときである。）ＵＥ１０は、隣接するセル１０２を継続的にモニタして、どれがハンドオーバの候補セル１０２になり得るかを判定する。ＵＥ１０は次いで、ハンドオーバの候補セル１０２を識別するセルＩＤを用いて測定レポートを生成し、当該測定レポートをＵＥ１０に現在サービス中のソースｅノードＢ２０へ送信する。別の方法では、ソースｅノードＢ２０は、ＵＥ１０が位置するセル１０２に現在サービス中である。（セルＩＤは、候補セル１０２の地理的な位置を表し得る。）従来技術における１つの問題は、サービス中の（又はソースの）ｅノードＢ２０が、測定レポートで識別された候補セル１０２の隣接する又は対象となるｅノードＢ２０のインターネットプロトコル（ＩＰ）アドレスを知らないことがあり得ることである。ソースｅノードＢ２０は、ＵＥ１０により報告されたセルＩＤによって識別されたセル１０２の隣接する又は対象となるｅノードＢ２０のコンタクトポイント（ＩＰアドレス）を知っていることが望ましい。本願はこの課題に対処する。以下は、この問題を解決し、対象ｅノードＢ２０のＩＰアドレスを取得する装置及び方法の開示である。
【００２０】
ＲＡＮ４０とコアネットワーク４４においてｅノードＢ２０間でＩＰトランスポートが用いられるＬＴＥでは、マルチキャストＩＰトランスポートとユニキャストＩＰトランスポートを、ノード２０が互いに通信するために利用可能である。ＩＰマルチキャストはネットワークノード２０によって用いられ、マルチキャストグループＩＰアドレスに加わっている全てのノード２０にメッセージを送信する。ユニキャストは、ネットワークノード２０が、ユニキャストＩＰアドレスが分かっている特定のノード２０と通信したいときに用いられる。  
セルＩＤを用いた対象発見
ユニキャストオプション
ユニキャスト送信とマルチキャスト送信との双方を用いて、対象ｅノードＢ２０の情報について他のノード２０又はサーバ３０に問い合わせてもよい。ユニキャストオプションは、ソースｅノードＢ２０に、対象ｅノードＢ２０の情報を有し得るサーバ３０又はノード２０が分かっているときに用いることができる。一例は、ｅノードＢ２０のＩＰアドレス及びセルＩＤを含むマッピングデータベースを有するサーバ／データベース３０をオペレータが配置するネットワーク４０である。一例において、このマッピングデータベースは隣接リスト４５と称される。従って、ソースｅノード２０は、対象ノード２０のＩＰアドレスを、Ｅ−ＵＴＲＡＮネットワーク４０（隣接するｅノードＢ２０、サーバ３０、他のエンティティ）を介して隣接リスト４５から評価することができる。このことは、図５に示されている。図５において、ＵＥ１０は、隣接するｅノードＢ２０がサービスしている、候補セル１０２のセルＩＤを見つける（ステップ２０５）。ステップ２１０で、セルＩＤを含む測定レポートがソースｅノードＢ２０に送信される（ステップ２１０）。ステップ２２０で、ソースｅノードＢ２０は、セルＩＤを含むユニキャスト問い合わせをサーバ３０に送信して、隣接するｅノードＢ２０のＩＰアドレスが何であるかを問い合わせる。ステップ２３０で、サーバ／データベース３０は、問い合わせ応答をユニキャスト送信として、対象となる（又は、この場合、隣接する）ｅノードＢ２０のＩＰアドレスを含むソースｅノードＢ２０に送信する。ステップ２４０で、ソースｅノードＢ２０は、接続確立メッセージを、対象となる又は隣接するｅノードＢ２０に送信する。ステップ２５０で、ソースｅノードＢ２０と、対象となる又は隣接するｅノードＢ２０との間に関連性（association）が確立される。
【００２１】
マルチキャストオプション
マルチキャストオプションは、ｅノードＢ２０が、隣接するノード２０から情報を収集したいときに用いられ得る。ｅノードＢ２０は、対象セル１０２のセルＩＤを含む問い合わせメッセージを送信する。メッセージを受信した他のノード２０は、それらが対象セル１０２に関連付けられたｅノードＢ２０を認識しているときは、要求された情報で応答する。ここで、他のノード２０は、ｅノードＢ２０のＩＰアドレスとセルＩＤのマッピングデータベースを備える。隣接するノード２０にＵＥ１０のセルＩＤが分かっているとき、隣接するノード２０は、当該セル１０２にサービスしているｅノードＢ２０のＩＰアドレスを知り得る。ｅノードＢ２０の問い合わせはセルＩＤを含み、隣接するセル１０２にマルチキャストされる。応答は、ＵＥ１０のＩＰアドレスを知る隣接するノード２０によって、ユニキャストメッセージとして、要求中のｅノードＢ２０に返信される。
【００２２】
ここで、それらのセル１０２にサービスしているｅノードＢ２０のＩＰアドレスとセルＩＤのマッピングデータベースを有するサーバ／データベース３０中にある、隣接するｅノードＢ各々についての情報を設定するよりむしろ、無線アクセスネットワーク４０の発見プロトコルを用いて、隣接するトランシーバ又はノード２０から情報を収集することができる。ノード２０は、隣接するｅノードＢ２０についての充分な情報（例えば、セルＩＤとＩＰアドレス）で設定されてもよく、ＩＰアドレスは発見プロトコルを用いて、隣接するノード２０から収集される。
【００２３】
このやり取りは、図６に示される以下の呼のフローに図示されている。ｅノードＢ２（２０）（対象ｅノードＢ）は、ｅノードＢ１（２０）（ソースｅノードＢ）に隣接する。ｅノードＢ３（２０）は、ｅノードＢ２（２０）のＩＰアドレスと、当該ｅノードＢ２（２０）によってサービスされる地理的な位置（又はセル１０２）のセルＩＤとを含む隣接リスト４５を備える。図６に示される「隣接リストマネージャ」５０は、隣接するｅノードＢ２０から情報を収集する責任を負う論理的なエンティティである。従って、ｅノードＢ２０は、サービス中のノード２０のＩＰアドレスを、隣接するｅノードＢ２０を介して隣接リスト４５から評価することができる。
【００２４】
図６において、ＵＥ１０は、隣接するｅノードＢ２０がサービス中の、候補セル１０２のセルＩＤを見出す（ステップ３０５）。ステップ３１０で、セルＩＤを含む測定レポートがソースｅノードＢ２０に送信される（ステップ３１０）。ステップ３２０で、ソースｅノードＢ２０は、無線基地局である、又はアクセスゲートウェイ（ＡＧＷ）上にある周囲のｅノードＢ２０に対して、隣接するｅノードＢ２０のＩＰアドレスが何であるかを問い合わせる、セルＩＤを含むマルチキャスト問い合わせを送信する。ステップ３３０で、無線基地局であるか、アクセスゲートウェイ（ＡＧＷ）上にある、隣接リスト４５を備えるｅノードＢ２０のうちの１つは、対象となる（又は隣接する）ｅノードＢ２０のＩＰアドレスを含むソースｅノードＢ２０に対して、問い合わせ応答をユニキャスト送信として送信する。ステップ３４０で、ソースｅノードＢ２０は、隣接するｅノードＢ２０に接続確立メッセージを送信する。ステップ３５０で、ソースｅノードＢ２０と、対象となる（又は隣接する）ｅノードＢ２０との間で関連性が確立される。
【００２５】
図７は、以下に詳述するが、特にｅノードＢ２０と無線ネットワークコントローラ６５が、パケットネットワークインタフェース１４６にインタフェースを取っている。無線ネットワークコントローラ６５は、システム１００における送信用のスケジューリングアルゴリズムを実施するチャネルスケジューラ１３２を備える。チャネルスケジューラ１３２は、任意の特定の遠隔局１０に対して当該遠隔局１０に関連付けられた、データを受信する瞬間レート（最も新しく受信したＤＲＣ信号に示されるような）に基づいてデータが送信されるサービスインターバルの長さを決定する。サービスインターバルは、時間的に連続していないこともあり得るが、ｎ個のスロット毎に生じ得る。一実施形態によれば、パケットの第１の部分は、最初に第１のスロット期間中に送信され、第２の部分は、続いて４スロット分だけ後で送信される。また、パケットの任意の続く部分は、同様な４スロット間隔の複数のスロットで、即ち互いに４スロット分だけ離して、送信される。一実施形態によれば、データを受信する瞬間レートＲｉは、特定のデータキューに関連付けられたサービスインターバル長Ｌｉを決定する。
【００２６】
また、チャネルスケジューラ１３２は、特定のデータキューを送信用に選択する。送信されるべきデータの関連付けられた量は次いで、データキュー１７２から取り出され、データキュー１７２に関連付けられた遠隔局１０への送信用にチャネルエレメント１６８に供給される。以下に述べるように、チャネルスケジューラ１３２は、データを供給するためのキューを選択するが、このデータは次のサービスインターバルで、キューの各々に関連付けられた重みを含む情報を用いて送信される。送信されたキューに関連付けられる重みは、その後更新される。
【００２７】
ラジオネットワークコントローラ６５は、パケットネットワークインタフェース１４６、公衆交換電話網（ＰＳＴＮ）１４８、及び通信システム１００中の全てのｅノードＢ２０（簡単のため、図６には１つのｅノードＢ２０のみが示されている）とインタフェースを取る。ラジオネットワークコントローラ６５は、通信システム中の遠隔局１０と、ＰＳＴＮ１４８とパケットネットワークインタフェース１４６に接続された他のユーザとの間の通信を調整する。ＰＳＴＮ１４８は、標準的な電話網（図７には図示せず）を介してユーザとインタフェースを取る。
【００２８】
無線ネットワークコントローラ６５は、簡単のため図７には１つしか示されていないが、多数のセレクタエレメント１３６を備える。各セレクタエレメント１３６は、１つ又は複数の基地局２０と、１つの遠隔局１０（図示せず）との間の通信を制御するために割り当てられる。セレクタエレメント１３６が所与のユーザ機器１０に割り当てられていないとき、呼制御プロセッサ１４１は遠隔局にページングする必要があることを通知される。呼制御プロセッサ１４１は次いで、ｅノードＢ２０に遠隔局１０をページングするように指示する。
【００２９】
データソース１２２は、多量のデータを含むが、当該データは所与の遠隔局１０に送信されるべきものである。データソース１２２はデータをパケットネットワークインタフェース１４６に供給する。パケットネットワークインタフェース１４６は、データを受信し、当該データをセレクタエレメント１３６にルーティングする。セレクタエレメント１３６は次いで、対象となる遠隔局１０と通信中のｅノードＢ２０にデータを送信する。例示的な実施形態では、各ｅノードＢ２０がデータキュー１７２を保持するが、これは遠隔局１０に送信されるべきデータを格納する。
【００３０】
データは、データキュー１７２からチャネルエレメント１６８へデータパケットで送信される。一例において、フォワードリンク上で、「データパケット」とは最大で１０２４ビットの多量のデータと、所定の「タイムスロット」（
【数１】
2009542112.tif 000003
【００３１】
）内に目標となる遠隔局へ送信されるべき多量のデータをいう。各データパケットについて、チャネルエレメント１６８は必要な制御フィールドを挿入する。例示的な実施形態では、チャネルエレメント１６８は巡回冗長検査、即ちＣＲＣと、データパケット及び制御フィールドの符号化を行い、１組の符号テールビット（code tail bits）を挿入する。データパケット、制御フィールド、ＣＲＣパリティビット、及び符号テールビットは、フォーマットされたパケットを構成する。例示的な実施形態では、チャネルエレメント１６８は次いで、フォーマットされたパケットを符号化し、符号化されたパケット内にシンボルをインタリーブ（又は再配列）する。例示的な実施形態では、インタリーブされたパケットは、ウォルシュ符号でカバーされ（covered）、ショートＰＮＩ及びＰＮＱ符号で拡散される。拡散データは、信号を直交変調し、フィルタリングし、増幅する、ＲＦユニット１７０に供給される。フォワードリンク信号は、アンテナを介してフォワードリンクへ無線で送信される。
【００３２】
ユーザ機器１０において、フォワードリンク信号は、アンテナで受信され、受信器にルーティングされる。受信器は、信号をフィルタリングし、増幅し、直交復調し、量子化する。デジタル化された信号は、復調器（ＤＥＭＯＤ）に供給され、ショートＰＮＩ及びＰＮＱ符号でデスプレッドされ（despread）、ウォルシュ符号でデカバーされる（decovered）。復調されたデータは、ｅノードＢ２０で為された信号処理機能の反対、特にデインタリーブ、復号、及びＣＲＣ検査機能を実行する復号器に供給される。復号されたデータはデータシンクに供給される。
【００３３】
各遠隔局１０によって送信されるＤＲＣ信号は、リバースリンクチャネルを介して伝わり、基地局２０でＲＦユニット１７０に結合された受信アンテナを介して受信される。一例では、ＤＲＣ情報は、チャネルエレメント１６８で復調され、無線ネットワークコントローラ６５に設けられたチャネルスケジューラ１３２に、又はｅノードＢ２０に設けられたチャネルスケジューラ１７４に供給される。第１の例示的な実施形態において、チャネルスケジューラ１３２は、ｅノードＢ２０に設けられる。別の実施形態において、チャネルスケジューラ１３２は、無線ネットワークコントローラ６５に設けられ、無線ネットワークコントローラ６５内の全てのセレクタエレメント１３６に接続される。
【００３４】
図８は、本願に係るＵＥ１０の一実施形態を示し、当該ＵＥ１０は、送信回路２６４（ＰＡ３０８を含む）、受信回路４０８、スロットルコントロール３０６、復号処理ユニット２５８、処理ユニット３０２、マルチキャリア制御ユニット４１２及びメモリ４１６を備える。
【００３５】
処理ユニット３０２は、ＵＥ１０の動作を制御する。処理ユニット３０２は、ＣＰＵとも称される。メモリ４１６は、読み出し専用メモリ（ＲＯＭ）とランダムアクセスメモリ（ＲＡＭ）の双方を備え得るが、命令とデータを処理ユニット３０２に供給する。メモリ４１６の一部はまた、持久ランダムアクセスメモリ（ＮＶＲＡＭ）を備えてもよい。
【００３６】
ＵＥ１０は、携帯電話といった無線通信装置で具現化され得るが、ＵＥ１０と遠隔地との間で、音声通信といったデータの送信及び受信を可能にする、送信回路２６４及び受信回路４０８を含む筐体を備えてもよい。送信回路２６４及び受信回路４０８は、アンテナ３１８に結合され得る。
【００３７】
ＵＥ１０の種々のコンポーネントは、データバスに加えて、電力バス、制御信号バス、及びステータス信号バスを備え得る、バスシステム２６３０によって互いに結合される。しかしながら、明快のため、様々なバスは、図８においてバスシステム２６３０として示される。ＡＴ１０６はまた、信号を処理するときに使用するために処理ユニット３０２を備えてもよい。電力コントローラ３０６、復号プロセッサ２５８、電力増幅器３０８及びマルチキャリア制御ユニット４１２も示されている。
【００３８】
上述した図５の方法及び装置は、図９に示される対応するミーンズ・プラス・ファンクション・ブロックによって行われる。換言すれば、図５のステップ２０５、２１０、２２０、２３０、２４０及び２５０は、図９のミーンズ・プラス・ファンクション・ブロック１２０５、１２１０、１２２０、１２３０、１２４０及び１２５０に対応する。
【００３９】
上述した図６の方法及び装置は、図９に示される対応するミーンズ・プラス・ファンクション・ブロックによって行われる。換言すれば、図６のステップ３０５、３１０、３２０、３３０、３４０、及び３５０は、図１０のミーンズ・プラス・ファンクション・ブロック１３０５、１３１０、１３２０、１３３０、１３４０、及び１３５０に対応する。
【００４０】
図５、図６、図９及び図１０に示されるステップは、図７に示されるユーザ機器１０のメモリ４１６に設けられるソフトウェア又はファームウェア４２の形で命令として格納されてもよい。これらの命令は、図８に示されるユーザ機器１０の処理ユニット回路３０２によって実行され得る。図５、図６、図９及び図１０に示されるステップはまた、ｅノードＢ２０のメモリ１６１に設けられるソフトウェア又はファームウェア４３の形で命令として格納されてもよい。これらの命令は、図７のｅノードＢ２０の制御ユニット１６２によって実行され得る。
【００４１】
当業者は、情報及び信号が種々の異なる技術や技法のうち任意のものを用いて表され得ることを理解するであろう。例えば、上記の説明を通して言及され得るデータ、命令、コマンド、情報、信号、ビット、シンボル、及びチップは、電圧、電流、電磁波、磁場若しくは磁性粒子、光学場若しくは光学粒子、又はこれらの任意の組み合わせで表され得る。
【００４２】
当業者は更に、本明細書に開示される実施形態に関連して記載される、種々の例示的な論理ブロック、モジュール、回路、及びアルゴリズムのステップは、電子ハードウェア、コンピュータソフトウェア、又は両者の組み合わせで実現され得ることを認識するであろう。ハードウェアとソフトウェアのこの互換性を明瞭に説明するため、種々の例証となるコンポーネント、ブロック、モジュール、回路、及びステップは、一般にそれらの機能性の観点から上述されている。そのような機能性がハードウェアとして実現されるかソフトウェアとして実現されるかは、システム全体に課される設計上の制約及び特定の用途に依存する。熟練工は、記載されている機能性を特定の用途ごとに種々の方法で実現し得るが、そのような実現上の決定は、本願発明の範囲からの逸脱をもたらすものとして解釈されるべきではない。
【００４３】
本明細書に開示される実施形態に関連して記載される種々の例示的な論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブル論理デバイス、ディスクリートゲート若しくはトランジスタロジック、ディスクリートハードウェアコンポーネント、又は、本明細書に記載される機能を実行するように設計された、これらの任意の組み合わせで実現又は実行されてもよい。汎用プロセッサはマイクロプロセッサであってもよいが、別の選択肢では、当該プロセッサは任意の従来のプロセッサ、コントローラ、マイクロコントローラ、又は状態機械であってよい。プロセッサはまた、演算デバイスの組み合わせ、例えば、ＤＳＰとマイクロプロセッサの組み合わせ、複数のマイクロプロセッサ、ＤＳＰコアと関連する１又は複数のマイクロプロセッサ、又は任意の他のそのような構成として実現されてもよい。
【００４４】
本明細書に開示される実施形態に関連して記載されるアルゴリズム又は方法のステップは、直接ハードウェアで、プロセッサによって実行されるソフトウェアモジュールで、又はこの２つの組み合わせで具現化されてもよい。ソフトウェアモジュールは、ランダムアクセスメモリ（ＲＡＭ）、フラッシュメモリ、読み出し専用メモリ（ＲＯＭ）、電気的プログラム可能ＲＯＭ（ＥＰＲＯＭ）、電気的消去プログラム可能ＲＯＭ（ＥＥＰＲＯＭ）、レジスタ、ハードディスク、リムーバブルディスク、ＣＤ−ＲＯＭ、又は、当技術分野で公知の任意の他の形態の記憶媒体に存在し得る。例示的な記憶媒体は、プロセッサが当該記憶媒体から情報を読み取り、且つ、当該記憶媒体に情報を書き込むことができるように、プロセッサに結合される。別の方法では、記憶媒体はプロセッサと一体であってもよい。プロセッサと記憶媒体は、ＡＳＩＣに存在してもよい。ＡＳＩＣはユーザ端末に存在し得る。別の方法では、プロセッサと記憶媒体は、ユーザ端末に別個のコンポーネントとして存在し得る。
【００４５】
１つ又は複数の例示的な実施形態において、記載された機能は、ハードウェア、ソフトウェア、ファームウェア、又はこれらの任意の組み合わせで実現され得る。ソフトウェアで実現されるとき、機能はコンピュータ読み取り可能な媒体に格納されるか、１つ又は複数の命令若しくはコードとして送信されてもよい。コンピュータ読み取り可能な媒体は、コンピュータ記憶媒体と、コンピュータプログラムをある場所から別の場所へ転送することを容易にする任意の媒体を含む通信媒体との双方を含む。記憶媒体は、コンピュータでアクセスすることができる任意の利用可能な媒体であってよい。例として、そのようなコンピュータ読み取り可能な媒体は、ＲＡＭ、ＲＯＭ、ＥＥＰＲＯＭ、ＣＤ−ＲＯＭ若しくは他の光ディスク媒体、磁気ディスク媒体若しくは他の磁気記憶装置、又は所望のプログラムコードを命令やデータ構造の形で伝えるのに、若しくは格納するのに用いることができ、コンピュータでアクセスすることができる任意の他の媒体を含むことができるが、これらに限定されるものではない。また、如何なる接続もコンピュータ読み取り可能な媒体と適当に称される。例えば、ソフトウェアがウェブサイト、サーバ、又は他の遠隔ソースから同軸ケーブル、光ファイバケーブル、ツイストペア、デジタル加入者線（ＤＳＬ）、又は、赤外線、無線、マイクロ波といった無線技術を用いて送信されるとき、同軸ケーブル、光ファイバケーブル、ツイストペア、ＤＳＬ、又は、赤外線、無線若しくはマイクロ波といった無線技術は、媒体の定義に含まれる。本明細書で用いられるディスク（disk及びdisc）には、コンパクトディスク（ＣＤ）、レーザーディスク（登録商標）、光ディスク、デジタル多用途ディスク（ＤＶＤ）、フロッピー（登録商標）ディスク、及びブルーレイディスクが含まれるが、disksは通常、データを磁気的に再生するが、discsはデータをレーザで光学的に再生する。上記の組み合わせもまた、コンピュータ読み取り可能な媒体の範囲内に含まれるべきである。
【００４６】
開示された実施形態の先の説明は、如何なる当業者も本願発明を作成又は使用することを可能とするために提供されている。これらの実施形態に対する種々の変形は、当業者には容易に明白となるであろうし、本明細書で定義される一般的な原理は、本願発明の精神又は範囲から逸脱することなく他の実施形態に適用され得る。従って、本願発明は、本明細書に示される実施形態に限定されることを意図されるものではないが、本明細書に開示される原理及び新規な特徴と矛盾しない最も広い範囲と一致すべきものである。
【００４７】
従って、本願発明は添付の特許請求の範囲に従う場合を除き限定されるべきではない。
【図面の簡単な説明】
【００４８】
【図１】図１は、２つの無線ネットワークサブシステムを有する無線アクセスシステムを、コア及びユーザ機器へのそのインタフェースと共に示すブロック図である。
【図２】図２は、基本的なセル探索手順を開示するフローチャートである。
【図３】図３は、セルラー通信システムの図である。
【図４】図４は、ｅｖｏｌｖｅｄＵＴＲＡＮを用いる３ＧＰＰ  ＬＴＥ／ＳＡＥアーキテクチャを有する通信システム１００のブロック図である。
【図５】図５は、ターゲットノードのＩＰアドレスを、ユニキャスト問い合わせを用いて取得するフロー図である。
【図６】図６は、ターゲットノードのＩＰアドレスを、マルチキャスト問い合わせを用いて取得するフロー図である。
【図７】図７は、基地局コントローラと基地局を含む、通信システムの一部である。
【図８】本特許出願に係るユーザ機器の一実施形態を示す。
【図９】ユニキャスト問い合わせを用いて対象ノードのＩＰアドレスを取得するときに実行されるステップを示す機能ブロック図である。
【図１０】マルチキャスト問い合わせを用いて対象ノードのＩＰアドレスを取得するときに実行されるステップを示す機能ブロック図である。
【図１】
2009542112.tif 000004
【図２】
2009542112.tif 000005
【図３】
2009542112.tif 000006
【図４】
2009542112.tif 000007
【図５】
2009542112.tif 000008
【図６】
2009542112.tif 000009
【図７】
2009542112.tif 000010
2009542112.tif 000011
【図８】
2009542112.tif 000012
【図９】
2009542112.tif 000013
【図１０】
2009542112.tif 000014
【国際調査報告】
2009542112.tif 000015
2009542112.tif 000016
2009542112.tif 000017